(57)【要約】【課題】ボス部の存在により生じる無駄なスペースを可能な限り小さくする。【解決手段】第２筐体５は、その内部に電子部品として、例えば表示部９を有する。第２筐体５は、ボス部５８を有する第１ケース部材５１と、厚さ方向においてボス部５８を介して第１ケース部材５１と結合される第２ケース部材５２とを有する。第１ケース部材５１は、内部にボス部５８が配設される凹部５７が形成され、凹部５７には切欠部５７Ａが形成されている。表示部９は、切欠部５７Ａに当接または近接して第２筐体５内部に配設される。【選択図】図８
2010109768.tif 000002
【特許請求の範囲】
【請求項１】
筐体と、
前記筐体の内部に配設される電子部品と、を有し、
前記筐体は、ボス部を有する第１ケース部材と、厚さ方向において前記ボス部を介して前記第１ケース部材と結合される第２ケース部材と、を有し、
前記第１ケース部材は、内部に前記ボス部が配設される凹部が形成され、
前記凹部には切欠部が形成され、
前記電子部品は、前記切欠部に当接または近接して前記筐体の内部に配設される、
携帯電子機器。
【請求項２】
前記切欠部は、前記凹部において前記筐体の厚さ方向と、前記筐体の幅方向、長さ方向の少なくとも一方の方向とで切り欠かれている
請求項１に記載の携帯電子機器。
【請求項３】
前記筐体の内部には基準電位部が形成され、
前記ボス部は、前記凹部に形成された前記切欠部を介して露出すると共に、導電性を有して構成される露出部を有し、
前記露出部は、前記基準電位部に電気的に接続される
請求項１に記載の携帯電子機器。
【請求項４】
前記基準電位部は、前記電子部品を支持する板金部材である
請求項３に記載の携帯電子機器。
【請求項５】
前記板金部材は、前記切欠部に支持されると共に、前記露出部に当接されて前記筐体の内部に配設される
請求項４に記載の携帯電子機器。
【発明の詳細な説明】
【技術分野】
【０００１】
本発明は、携帯電話機、ＰＤＡ(Personal Digital Assistant)、ゲーム機などの携帯電子機器に関する。
【背景技術】
【０００２】
筐体と、筐体の内部に配設される電子部品とを有し、筐体は、ボス部を有する第１ケース部材と、ボス部にネジが螺合することによって第２ケース部材が第１ケース部材に結合する携帯電子機器が知られている（例えば、特許文献１参照）。
特許文献１に記載の携帯電子機器においては、第１ケース部材に形成されたボス部は、第１ケース部材の周縁近くに形成される。ボス部としてはナット等が用いられ、第１ケース部材に形成される凹部にボス部が落とし込まれて固定される。
【特許文献１】特開２０００−３５３９０８号公報
【発明の開示】
【発明が解決しようとする課題】
【０００３】
ところで、第１ケース部材と第２ケース部材は、それらが形成する内部空間内に、高密度に多数の部品が配置される一方で、筐体自体の小型化、薄型化の要請も強い。したがって、ボス部を固定する凹部の存在が、特に大きな部品を配置する際に邪魔になり、無駄なスペースが生じる原因となる。
【０００４】
本発明の目的は、ボス部の存在により生じる無駄なスペースを可能な限り小さくした携帯電子機器を提供することである。
【課題を解決するための手段】
【０００５】
本発明に関わる携帯電子機器は、筐体と、前記筐体の内部に配設される電子部品と、を有する。
前記筐体は、ボス部を有する第１ケース部材と、厚さ方向において前記ボス部を介して前記第１ケース部材と結合される第２ケース部材と、を有する。
前記第１ケース部材は、内部に前記ボス部が配設される凹部が形成され、前記凹部には切欠部が形成されている。前記電子部品は、前記切欠部に当接または近接して前記筐体の内部に配設される。
【０００６】
好適に、前記切欠部は、前記凹部において前記筐体の厚さ方向と、前記筐体の幅方向、長さ方向の少なくとも一方の方向とで切り欠かれている。
【０００７】
好適に、前記筐体の内部には基準電位部が形成される。前記ボス部は、前記凹部に形成された前記切欠部を介して露出すると共に、導電性を有して構成される露出部を有する。前記露出部は、前記基準電位部に電気的に接続される。
さらに好適に、前記基準電位部は、前記電子部品を支持する板金部材である。
さらに好適に、前記板金部材は、前記切欠部に支持されると共に、前記露出部に当接されて前記筐体の内部に配設される。
【発明の効果】
【０００８】
本発明によれば、ボス部の存在により生じる無駄なスペースを可能な限り小さくした携帯電子機器を提供することができる。
【発明を実施するための最良の形態】
【０００９】
本発明の実施形態を、携帯電話機を例として図面を参照して説明する。
【００１０】
図１は、本発明の実施形態に関わる携帯電話機１の外観を開状態で示す斜視図である。図２は、携帯電話機１の外観を閉状態で示す斜視図である。図３は、携帯電話機１の信号処理系の構成を一例として示すブロック図である。
【００１１】
携帯電話機１は、いわゆる折り畳み式の携帯電話機として構成されている。
すなわち、携帯電話機１は、図１および図２に示すように、回転軸ＲＡ回りに相対回転可能に連結された第１筐体３及び第２筐体５を有し、開状態と閉状態との間で遷移可能である。第１筐体３及び第２筐体５は、それぞれの端部が回転の中心となる連結部６により連結されることにより携帯電話機１全体の筐体を構成する。
図２に示す閉状態では、第１筐体３及び第２筐体５が重ね合わされる。
図１に示す開状態では、第１筐体３及び第２筐体５の閉状態において互いに対向していた面が離間して、第１筐体３及び第２筐体５は同一平面上配置に概ね近い状態にまでなる。第１筐体３及び第２筐体５は、それぞれ概ね薄型直方体状に形成されており、閉状態では互いの輪郭が略一致する。
【００１２】
第１筐体３には、図３に示すように、通話用のマイクロフォン８７、通信のためのアンテナ８１、報知用のスピーカ８５が設けられている。第１筐体３には、さらに、撮像部８９、ユーザの操作を受け付ける操作部７が設けられている。
アンテナ８１は、第１筐体３等に内蔵され、あるいは、第１筐体３等に外付けされている。アンテナ８１が外付けの場合、その給電部が筐体内に引き込まれている。
操作部７は、図１に示すように、複数のキー３５を含んで構成されている。
【００１３】
第２筐体５には、例えば、通話用のスピーカ８３（図３参照）、画像や文字を表示する表示部９（図１）が設けられている。
表示部９は、例えば液晶パネルあるいは有機ＥＬパネル等で構成され、その表示面が、閉じたときに第１筐体３と対向する第２筐体５の面内で比較的大きな面積を占めている。
【００１４】
なお、以下では、第１筐体３及び第２筐体５において、閉状態において互いに対向し開状態で露出する面の側を“正面側”と呼ぶことがある。この場合、第１筐体３及び第２筐体５の各々において正面側と反対の側、つまり閉状態の厚さ方向（筐体の重ね合わせ方向）の表面側を“背面側”と呼ぶことがある。
【００１５】
携帯電話機１は、図３に示すように、ＣＰＵ７１、メモリ７３、通信処理部７５、音響処理部７７及び画像処理部７９を有している。これら各部は、主として、第１筐体３内のメイン基板（不図示）等に設けられた電子部品等により構成されている。
【００１６】
ＣＰＵ７１は、キー３５を含む操作部７等の各種手段からの信号に基づいて所定の演算を行い、画像処理部７９等の各種手段の制御を実行する制御部として機能する。ＣＰＵ７１は、この制御の実行時に、メモリ７３から必要なデータやプログラムを適宜、読み出して用いる。
ＣＰＵ７１に、操作部７やメモリ７３の他に、制御対象のブロックとして、通信処理部７５、音響処理部７７および画像処理部７９が接続されている。
【００１７】
通信処理部７５は、電波を利用した無線通信により、通信システム（電話網やインターネット）を介した他の携帯端末装置やサーバとの通信を行うための処理を行う。
より詳細には、音響処理部７７で処理された音響データ、画像処理部７９で処理された画像データ等の各種データが、ＣＰＵ７１でさらに処理されて通信処理部７５に入力される。通信処理部７５は、これらの各種データにより、自身で発振した信号を変調して、変調された信号を、アンテナ８１を介して送信する。
また、通信処理部７５は、アンテナ８１を介して受信した信号を復調し、復調したデータをＣＰＵ７１に出力する。復調したデータは、ＣＰＵ７１で必要な処理を受けた後、音響処理部７７や画像処理部７９に送られて通話やアプリケーションの実行に供される。
【００１８】
音響処理部７７は、ＣＰＵ７１からの音響データを電気信号に変換して、その信号を、通話用のスピーカ８３、又は、報知音等を出力するスピーカ８５に出力する。スピーカ８３及びスピーカ８５は、音響処理部７７からの電気信号を音響に変換し、その音響を出力する。一方、マイクロフォン８７は、入力された音響を電気信号に変換し、その信号を音響処理部７７に出力する。音響処理部７７は、マイクロフォン８７からの電気信号を音響データに変換し、その音響データをＣＰＵ７１に出力する。
【００１９】
画像処理部７９は、ＣＰＵ７１からの画像データを、表示部９に適合する画像信号に変換し、その信号を表示部９へ出力する。また、画像処理部７９は、撮像部８９から出力される撮像信号（画像データ）を所定のフォーマットの画像データに変換し、その画像データをＣＰＵ７１へ出力する。
メモリ７３は、制御データやプログラムを格納する以外に、画像や音声、さらには文書等のコンテンツを保存する。
【００２０】
以上のように構成される携帯電話機１は、防水のための措置が施されている。防水策の一つとして、筐体内に水分が浸入するのを防止するために、筐体を構成するケース間にパッキンが配設される。
【００２１】
図１および図２に示す第１筐体３や第２筐体５は、それぞれ、２つまたは３つのケースから構成される。
例えば、収納する部品点数が少ないため比較的薄い筐体（例えば、第２筐体５）は、“上ケース”と“下ケース”、あるいは“正面ケース”と“背面ケース”と呼ばれる２つのケースから構成される。以下、この２つのケースを“第１ケース部材”“第２ケース部材”と呼ぶ。
第１ケース部材と第２ケース部材のどちら側が正面側で、どちら側が背面側かは任意である。以下、便宜上、背面側のケース部材を第１ケース部材、表示部９が設けられた正面側のケース部材を第２ケース部材と呼ぶ。
【００２２】
一方、収納する部品点数が多い等の理由で比較的厚い筐体（例えば、第１筐体３）は、２つのケースを重ねた二層構造の場合もあるが、背面ケースと正面ケースの中間にインナーケースを設けた三層構造を有する場合もある。また、第１筐体３の背面側には電池収容部の蓋が設けられ、当該蓋も筐体の一部を構成するケースの一種となる。
【００２３】
パッキンは、筐体の周縁の近くに、ほぼ周縁に沿って閉環状に形成された溝に配設され、２つのケース間で挟み込まれることを基本とする。そして、ネジ等の結合部材によって、通常はパッキンより筐体内側寄りの数箇所でケース間を締め付ける。以下、この締め付け箇所の筐体部分（および、結合部材があるときは結合部材を含む）を“結合締付部”と呼ぶ。
パッキンは、ゴムや弾性樹脂などの弾性材料から形成されているため、締め付けたときのパッキンの変形によりケース間の隙間が埋められ防水が図られる。
【００２４】
図４（Ａ）は第２筐体５の正面図、図４（Ｂ）は図４（Ａ）のＡ−Ａ線に沿った概略的な断面図である。
図４（Ｂ）に示す第２筐体５は、３つのケース部材、即ち、背面側の第１ケース部材５１と、表示窓５３を有し第１ケース部材５１の正面側に結合される第２ケース部材５２と、第２ケース部材５２の表示窓５３の正面側を覆うウインドカバー（アクリル等の透明化粧板）５９とから、主に構成されている。
【００２５】
第１ケース部材５１の正面図を、図５に示す。また、図６に、第２ケース部材５２の背面側の分解斜視図を示す。
図６に示すように、第２ケース部材５２に大きく開口する表示窓５３が形成されている。表示窓５３に対して、図１に示すように表示面が正面から視認できるように表示部９が配設される。
第２ケース部材５２は、表示窓５３の周囲に位置する枠状部分の内面側に、パッキン押圧部５４が閉環状に形成されている。一方、図５に示す第１ケース部材５１に、第２ケース部材５２のパッキン押圧部５４と対応する形状のパッキン溝５４Ａが形成されている。
表示窓周囲の枠状部分は、第２ケース部材５２の幅方向が狭く、長さ方向が比較的広い。そのため、第２ケース部材５２の先端部分に、通話用のスピーカ８３を収納するスピーカ収納部８３Ａが形成されている。パッキン押圧部５４は、スピーカ収納部８３Ａおよび表示窓５３の外側を通って第２ケース部材５２の枠状部分に形成されている。
【００２６】
図５に示す第１ケース部材５１には、図４（Ｂ）の断面に示されるように、背面が緩やかに中央部ほど膨らんだ曲面で形成されている。第１ケース部材５１は、図４（Ｂ）の両端部で厚くなっており、その両端部にパッキン溝５４Ａが形成されている。第１ケース部材５１の肉厚部は図５に示すケース周回部を形成しており、パッキン溝５４Ａが図５に示すようにケース周回部に配設されている。
【００２７】
パッキン５５は、パッキン溝５４Ａに合わせた形状に弾性部材を成形したものである。また、局所的な弛みを防止するためにパッキン５５は、所々に位置決め部５５Ａを有している。図５に示すように、パッキン溝５４Ａに、位置決め部５５Ａに適合した形状の位置決め溝部５４Ｂが形成されている。位置決め部５５Ａを位置決め溝部５４Ｂに収納しながら、パッキン５５をパッキン溝５４Ａに落とし込むと、パッキン５５に弛みが発生しない。この状態で第２ケース部材５２に第１ケース部材５１を重ね合わせ、所定の箇所をネジ止めする。
【００２８】
ネジ止め箇所（結合締付部）は、第１ケース部材５１の幅方向両側では、第１ケース部材５１の長さ方向に沿って通常、等間隔に配置される。
ケース幅方向両側の結合締付部の各々は、図６に示すネジ穴５６Ａと、図５に示す凹部５７と、凹部５７内に固定されたボス部５８と、ネジ穴５６Ａまたは５６Ｂを通してボス部５８に螺合するネジ６０とから構成される。
【００２９】
図７は、ボス部５８が固定された凹部５７の拡大図である。また、図８は、図４（Ｂ）の一部拡大図である。なお、図８は、第２筐体５における幅方向の一方端部のケース断面を、内部に配設された電子部品と併せて示す。第２筐体５における幅方向の他方端部は、図８とほぼ対称な構造となっている。
図８に示す第１ケース部材５１の幅方向の一方端部に、外側から突合せ縁部５１Ａ、パッキン溝５４Ａ、凹部５７が形成されている。
これらと対応して、第２ケース部材５２の幅方向の一方端部に、外側から突合せ縁部５２Ａ、パッキン押圧部５４、ネジ穴５６Ａが形成されている。
【００３０】
２つの突合せ縁部５１Ａと突合せ縁部５２Ａの凸面同士が隙間なく当接している。
パッキン溝５４Ａにパッキン５５が落とし込まれ、上からパッキン押圧部５４がパッキン５５に押し当てられている。パッキン５５は、この押圧力で変形しパッキン溝５４Ａ内の隙間を埋めることで防水が図られている。
【００３１】
凹部５７内にボス部５８が固定されている。
ボス部５８は、例えばナットであり、その内周面にはネジ部が切られている。ボス部５８の内周面はほぼ円形の平面視を有するが、ボス部５８の外周面は、ケース幅方向の両側に対向する２つの平面が形成され、２つの平面間は円弧の曲面となっている。
ボス部５８の外周面に適合した形状で、凹部５７の内周面も形成されている。ボス部５８は凹部５７の底部に空間を形成するように凹部５７の内周面に固定されている。このような非円形の外形によってボス部５８が凹部５７内で回転することがなく、よってネジ止めに適した構造となっている。
また、この２つの平面間を円弧の曲面で結ぶ外形は、２つの平面間の寸法を、２つの曲面間の寸法より小さくできる。この外形を有する接合締付部は、第１ケース部材５１内で、特に幅方向に場所をとらない。
【００３２】
第１ケース部材５１に第２ケース部材５２が重ねられたときに、凹部５７の中心とネジ穴５６Ａの中心がほぼ重なるため、ネジ穴５６Ａの正面側（図８の上側）からネジ６０を挿入し、ネジ６０をボス部５８に螺合させる。これにより第１ケース部材５１と第２ケース部材５２間の締付圧が加わり、締付圧がパッキン５５を押し潰すことによって防水効果が高められる。
【００３３】
このようなネジ止め箇所の直ぐ近くのケース内位置には、メインの表示パネル（表示部９）が配設されている。
携帯電話機でのテレビジョン放送の鑑賞や映像データ再生の機会が増えているため、表示部９は大型化の要請が強い。その一方、携帯電話機自体は小型化や薄型化も同時に求められている。このため、ケース内の無駄なスペースの削減要求が高まっている。
【００３４】
本実施形態では、この要求に応えるために、ネジ止め構造などの結合締付部の寸法を、特にケース幅方向で小さくしている。
より詳細には、ボス部５８が形成される凹部５７に切欠部５７Ａが形成されている。図８の例では、パッキン溝５４Ａと凹部５７間の仕切壁の高さに比べて、凹部５７とケース内空間との仕切壁の高さを小さくすることで切欠部５７Ａが形成されている。切欠部５７Ａは、図７の平面図ではケース長さ方向（図７の縦方位）に長い帯状に形成されている。表示部９のエッジ部が切欠部５７Ａに接触または近接されている。言い換えると、切欠部５７Ａは、部品（ここでは表示部９）の配置のための空間的な余裕を生む作用がある。
【００３５】
第１ケース部材５１と第２ケース部材５２の一方または双方に各種部品（表示部９等）を配設し、ケース部材同士を重ねた後、ネジ６０をドライバで回して第１ケース部材５１と第２ケース部材５２を締め付ける。
第２ケース部材５２に対し、ネジ６０のネジ頭側に、ウインドカバー５９が、接着層（例えば両面テープ）６１によって貼られている。このとき、ゴミ侵入防止のために、スポンジ等の部材６２が表示部９の表示面の周縁部に配設されている。なお、接着層６１は十分な防水効果を発揮するものから形成されている。
【００３６】
図９は、図８の断面構造の変形（切欠部を介した部品の当接構造）に関する。
図９に示すように、凹部５７の切欠部５７Ａは、部品の配置スペース拡大の作用のみならず、部品をボス部５８に接触させるための空間を提供する作用を併せ持つ。
【００３７】
例えば図９の例では、表示部９の裏面（背面）側には“基準電位部”としてのインサート板金９１（板金部材）が配置されている。表示部９を支持する他、インサート板金９１は、表示に影響する電磁波を遮断するほか、基準電位を安定させる内部アース部材として配設されている。また、インサート板金９１は、比較的薄い第２筐体５の剛性を高めるためにも役立っている。
インサート板金９１の一部（別体でも可）は、第２ケース部材５２の縁部に補強材として埋め込まれている。以下、この部材を、“インサート枠板金９２”と呼ぶ。
インサート板金９１およびインサート枠板金９２は、それぞれ導電性材料から形成されている。また、ネジ６０とボス部５８が導電性材料から形成されているとする。
【００３８】
ボス部５８には、切欠部５７Ａによって幅方向に露出する部分が存在する。このボス部５８の露出した側面部を以下、“露出部”と呼ぶ。
インサート板金９１の端面がボス部５８の露出部に接触し、電気的に接続されている。また、インサート枠板金９２がネジ６０と接触し、電気的に接続されている。
以上の電気的連結構造によって、インサート板金９１とインサート枠板金９２間のボス部５８とネジ６０も、基準電位部やシールド部として機能する。
【００３９】
例えば静電気や妨害電磁波の侵入に関しては、静電気や妨害電磁波は、表示部９などの部品に入る前に、第２筐体５の外面に近い導電性部材、例えばインサート枠板金９２に入る確率が高い。
ここでインサート枠板金９２が電気的に浮いた状態と仮定すると、インサート枠板金９２の容量を超えた余分な静電気や妨害電磁波が表示部９等の電子部品に悪影響を及ぼす危険性が高い。
図９のような電気的連結構造とすると、インサート枠板金９２からネジ６０、ボス部５８を経由して、電気的容量が大きいインサート板金９１に静電気や妨害電磁波が導かれる。そのため、静電気や妨害電磁波が表示部９等の電子部品に悪影響を及ぼすことが有効に抑制される。
【００４０】
本発明は、以上の実施形態に限定されず、種々の態様で実施されてよい。
【００４１】
携帯電子機器は、携帯電話機に限定されない。例えば、携帯電子機器は、ノートパソコン、ＰＤＡ、ゲーム機、カメラであってもよい。また、携帯電子機器が携帯電話機である場合、第１筐体（内包筐体及び外装筐体を有する筐体）と、第２筐体との役割分担（収容する電子部品）は、実施形態と逆であってもよい。
【００４２】
携帯電子機器が携帯電話機１の場合に、図３に各ブロックで示す構成部品が、第１筐体３と第２筐体５のどちらに設けられるかは、上記実施形態の説明に必ずしも限定されない。例えば、アンテナ８１や撮像部８９は、第１筐体３に限らず、第２筐体５に配設してもよい。音響処理部７７や画像処理部７９の一部を第２筐体５に設けてもよい。
ただし、第２筐体５に設けられる表示部９や通話用のスピーカ８３、第１筐体３に設けられる操作部７等は、有効に機能を発揮するために配置位置がおおよそ決められている。
【００４３】
切欠部は、本実施形態ではケース部材の幅方向と高さ（厚さ）方向とのスペース拡大作用を有する。
切欠部は、この作用に限定されず、例えば、ケース部材の長さ方向と厚さ方向のスペース拡大作用を発揮するように配置し、構成してもよい。この場合、凹部５７が第１ケース部材５１の長さ方向に配置され、切欠部５７Ａが、部品が配置される内部空間側に形成される。
また、例えば筐体のコーナー近くでは、ケース部材の長さ方向、幅方向および厚さ方向の３方向に凹部５７が切りかかれたような形状に、切欠部を形成してもよい。
なお、切欠部が凹部５７の外形のどの方向を切り欠かれたような形状とするかは、凹部の配置位置とは無関係に、近接する部品が存在する向きで規定してよい。例えば、図７において、ある部品が、凹部５７の外周面の曲面部分に近接する場合は、長さ方向に切欠部を設けてもよいし、幅方向と長さ方向の両側に亘って切欠部を形成してもよい。
【００４４】
以上より、切欠部は、凹部において筐体の厚さ方向と、筐体の幅方向、長さ方向の少なくとも一方の方向とで切り欠かれている形状を有する。
【００４５】
結合締付部は、ネジとナット（ボス部）の組み合わせを用いるものに限定されない。
結合締付部は、ネジ等のようにケースと別体の結合部材を必要としないで、ケースと一体化した形態も存在する。
例えば、２つのケース間のホックと受け部が、それぞれのケースと一体に形成される形態が存在する。この場合、突起状のホックを貫通穴に通す受け部が“ボス部”となる。つまり、貫通穴の周囲に肉厚の部分で強度を持たせたのがボス部であり、このボス部の一部に切欠部を形成することで本発明の適用が可能である。ホックを受け部に係合させてケース間を強く押すと、ホックが受け部から抜けないようになって締付圧が印加された状態となる。
【００４６】
以上の実施形態および変形例によれば、凹部５７の切欠部によって携帯電話機内で部品の高密度実装が可能となり、携帯電話機の小型化が図れる。
また、凹部５７に固定されたボス部５８が、パッキン５５を用いたシール部の内側に配置しているため、ボス部等が金属製の場合でも腐食しにくい。また、携帯電話機を落下したときに、その衝撃がパッキン５５によって弱められてからボス部５８に伝わるため、ボス部５８で接合締付圧が低下することが防止される。
【００４７】
このようにボス部５８をパッキン５５より筐体内部側に配置する場合、ボス部５８を固定する凹部５７が、筐体内部空間に対して突出するようになる。そのため、筐体内部における部品の配置の自由度が制限される。
本実施形態および変形例において凹部５７が切欠部５７Ａを有することは、筐体内部における部品の配置の自由度を制限しやすい防水およびケース接合構造において、当該自由度の制限を緩和する効果がある。そのため、切欠部の形成は、当該構造に対し特に有効である。
【図面の簡単な説明】
【００４８】
【図１】実施形態に関わる携帯電話機の外観を開状態で示す斜視図。
【図２】実施形態に関わる携帯電話機の外観を閉状態で示す斜視図。
【図３】実施形態に関わる携帯電話機の信号処理系ブロック図。
【図４】（Ａ）は第２筐体の正面図、（Ｂ）は（Ａ）のＡ−Ａ線に沿った筐体断面図。
【図５】第１ケース部材の正面図。
【図６】第２ケース部材の背面側を示す分解斜視図。
【図７】ボス部が固定された凹部の拡大平面図。
【図８】第２筐体の幅方向一方側の端部の拡大断面図。
【図９】図８の変形例に相当する拡大断面図。
【符号の説明】
【００４９】
１…携帯電話機、
３…第１筐体、
５…第２筐体、
５１…第１ケース部材、
５２…第２ケース部材、
５４…パッキン押圧部、
５４Ａ…パッキン溝、
５５…パッキン、
５６Ａ…ネジ穴、
５７…凹部、
５７Ａ…切欠部、
５８…ボス部、
５９…ウインドカバー、
６０…ネジ、
９…表示部、
９１…インサート板金、
９２…インサート枠板金
【図１】
2010109768.tif 000003
【図２】
2010109768.tif 000004
【図３】
2010109768.tif 000005
【図４】
2010109768.tif 000006
【図５】
2010109768.tif 000007
【図６】
2010109768.tif 000008
【図７】
2010109768.tif 000009
【図８】
2010109768.tif 000010
【図９】
2010109768.tif 000011